(57)【要約】【課題】先設のケーブル体に対し容易、かつ、迅速に装着可能なケーブル体架設具を提供する。【解決手段】複数の本体分割部分を、環状配置にして先設ケーブル体の周りに外嵌状に位置させる閉じ状態と、その環状配置における周方向の一箇所を開いた状態に位置させて先設ケーブル体に対する架設具着脱操作を可能にする開き状態とに切り換え自在に連結して、架設具本体を形成してある。【選択図】　　　　図２
2004104871.tif 000002
【特許請求の範囲】
【請求項１】
既に架設された先設ケーブル体に外嵌させた状態で、かつ、架設対象のケーブル体を接続した状態で、先設ケーブル体をガイドにして摺動移動させることにより架設対象ケーブル体を先設ケーブル体に沿う架設状態にするケーブル体架設具であって、
複数の本体分割部分を、環状配置にして先設ケーブル体の周りに外嵌状に位置させる閉じ状態と、その環状配置における周方向の一箇所を開いた状態に位置させて先設ケーブル体に対する架設具着脱操作を可能にする開き状態とに切り換え自在に連結して、架設具本体を形成してあるケーブル体架設具。
【請求項２】
前記架設具本体に架設対象ケーブル体を接続する接続具が、複数の前記本体分割部分を閉じ状態に固定する固定具を兼ねる構成にしてある請求項１記載のケーブル体架設具。
【請求項３】
前記接続具による架設対象ケーブル体接続操作の進行に伴い、先に架設対象ケーブル体が架設具本体に対して接続状態になり、続いて複数の前記本体分割部分が閉じ状態に固定される構成にしてある請求項２記載のケーブル体架設具。
【請求項４】
前記開き状態で互いに離散し、かつ、前記閉じ状態で互いに集合して架設対象ケーブル体接続部を形成する複数の接続部形成片を架設具本体に設けるとともに、
これら接続部形成片のうちの１つの接続部形成片に、前記接続具としての雌ネジ具を螺着する雄ネジ部を設け、
前記閉じ状態において前記雄ネジ部に対し前記雌ネジ具を螺着する螺着操作の後期に、前記接続部形成片の集合体に対し前記雌ネジ具が外嵌状態になって、それら複数の接続部形成片が結束される構成にしてある請求項３記載のケーブル体架設具。
【請求項５】
先設ケーブル体の周方向で複数に分割した構造で、先設ケーブル体が小径の場合に架設具本体と先設ケーブル体との間に介装して先設ケーブル体の周りに外嵌状に位置させる分割インナースペーサーを設け、
介装状態にある分割インナースペーサーと架設具本体との先設ケーブル体長手方向での相対移動が前記閉じ状態において不能になる構成にしてある請求項１〜４のいずれか１項に記載のケーブル体架設具。
【請求項６】
前記分割インナースペーサーの先設ケーブル体長手方向における端部に、その分割インナースペーサーの介装状態において架設具本体の先設ケーブル体長手方向における端面と先設ケーブル体長手方向で係合する端面係合部を形成し、
この端面係合部の先設ケーブル体長手方向における架設具本体とは反対側の端面を先設ケーブル体長手方向で架設具本体の側ほど先設ケーブル体から離れる傾斜姿勢のテーパー面にしてある請求項５記載のケーブル体架設具。
【請求項７】
前記分割インナースペーサーの各分割部分が、前記本体分割部分のそれぞれに対して個別に着脱自在である請求項５又は６記載のケーブル体架設具。
【請求項８】
前記分割インナースペーサーの分割部分を前記本体分割部分に取り付ける構造として、前記本体分割部分に先設ケーブル体半径方向の嵌合孔を設けるとともに、その嵌合孔に対して先設ケーブル体の側から圧入的に嵌入させる嵌合突起を前記分割インナースペーサーの分割部分に設けてある請求項７記載のケーブル体架設具。
【請求項９】
前記嵌合孔の内面とその嵌合孔に嵌入された前記嵌合突起との間に空隙を形成する凹部を、前記本体分割部分の先設ケーブル体とは反対側の面において前記嵌合孔の周縁部における周方向の一部分に形成してある請求項８記載のケーブル体架設具。
【発明の詳細な説明】
【０００１】
【発明の属する技術分野】
本発明はケーブル体架設具に関し、詳しくは、既に架設された先設ケーブル体に外嵌させた状態で、かつ、架設対象のケーブル体を接続した状態で、先設ケーブル体をガイドにして摺動移動させることにより架設対象ケーブル体を先設ケーブル体に沿う架設状態にするケーブル体架設具に関する。
【０００２】
【従来の技術】
従来、図２０〜図２２に示すように、ケーブル体架設具１０１は、摩擦、摩擦係数の少ない材質（例えば、ポリアセタール）から製作され、その基端部１０２から先端部１０３にかけて先設ケーブルＢに装着するための装着溝Ｇを螺旋状に形成してあり、また、その全体形状を先細のテーパー状に形成することでケーブルハンガー９等の懸架具Ｈのケーブル抱込部ｈに対する挿通を容易にしてある。そして、その基端部１０２にネジ部１０４を突設し、新たに追加架設する追加ケーブルと導く通線ロッド１１１のナット部１１１ａをネジ部１０４に螺着連結するようにしてある。
【０００３】
そして、同図２０〜図２２に示すように、通線ロッド１１１を接続したケーブル体架設具１０１を、先設ケーブルＢに対して傾斜させた状態で装着溝Ｇの中央部に先設ケーブルＢを嵌入させたのち回転させることで、先設ケーブルＢにケーブル体架設具１０１を嵌合装着するようにしていた（例えば、特許文献１参照。）。
【０００４】
【特許文献１】
特開２００２−１７０１３号公報
【０００５】
【発明が解決しようとする課題】
しかし、従来のケーブル体架設具１０１では、上述のように先設ケーブルＢに装着するのに、ケーブル体架設具１０１を傾斜させたり、回転させたりしなければならず、作業能率の低下を招来する問題があった。
【０００６】
そしてまた、ケーブル体架設具１０１の基端部１０２に通線ロッド１１１を連結した状態でこのような装着作業を行なうには、通線ロッド１１１がメッセンジャーワイヤーＭに引っ掛かったりして作業の邪魔になって、作業能率を一層低下させることがあり、また、ケーブル体架設具１０１と通線ロッド１１１を連結していない状態でケーブル体架設具１０１を先に先設ケーブルＢに装着したのち、通線ロッド１１１をケーブル体架設具１０１に連結するにしても、不安定な高所において、ケーブル体架設具１０１の基端部１０２に設けてあるネジ部１０４に対して地上から持ち上げてきた通線ロッド１１１のナット部１１１ａを連結するのは容易ではなく、危険性を伴い、その作業能率の低下を免れることは困難であった。
【０００７】
この実情に鑑み、本発明の主たる課題は、上記問題を合理的な改造により効果的に解消する点にある。
【０００８】
【課題を解決するための手段】
〔１〕請求項１に係る発明はケーブル体架設具に係り、その特徴は、
既に架設された先設ケーブル体に外嵌させた状態で、かつ、架設対象のケーブル体を接続した状態で、先設ケーブル体をガイドにして摺動移動させることにより架設対象ケーブル体を先設ケーブル体に沿う架設状態にするケーブル体架設具において、
複数の本体分割部分を、環状配置にして先設ケーブル体の周りに外嵌状に位置させる閉じ状態と、その環状配置における周方向の一箇所を開いた状態に位置させて先設ケーブル体に対する架設具着脱操作を可能にする開き状態とに切り換え自在に連結して、架設具本体を形成してある点にある。
【０００９】
つまり、この構成によれば、複数の本体分割部分からなる架設具本体の開閉操作により、架設具本体を先設ケーブル体に対して着脱するので、先設ケーブル体に対して傾斜させた状態で嵌合させたのち回転させて装着するといった煩雑な装着行程を要する従来のケーブル体架設具に比して、架設具本体の先設ケーブル体への着脱操作を容易、かつ、迅速に行うことができ、これによって、作業能率を向上させることができる。
【００１０】
また、架設具本体が破損しやすい合成樹脂（例えば、ポリアセタール）製であっても、上述のように先設ケーブル体への装着を、架設具本体の開閉により行なうので、従来の架設具を使用する際に見られたように、施工者が架設具を彎曲させて先設ケーブル体へ強引に装着することがなく、そのような装着作業に原因する架設具の破損も効果的に防止することができる。
【００１１】
なお、先設ケーブル体とは、懸架具に懸架された状態で既に架設された本設のケーブルに限られるものではなく、ハンガー等の懸架具を支持するために張設されているメッセンジャーワイヤー等の案内ケーブルであってもよい。
また、架設対象ケーブル体とは、ケーブル懸架具のケーブル抱込部へ挿通する本設用のケーブル、又は、その本設用ケーブルを懸架具のケーブル抱込部へ導く通線案内用のケーブルである。
【００１２】
〔２〕請求項２に係る発明は、請求項１に係る発明の実施に好適な実施形態を特定するものであり、その特徴は、
前記架設具本体に架設対象ケーブル体を接続する接続具が、複数の前記本体分割部分を閉じ状態に固定する固定具を兼ねる構成にしてある点にある。
【００１３】
つまり、この構成によれば、架設具本体に架設対象ケーブル体を接続する接続具を架設具本体に接続することで、複数の本体分割部分が閉じ状態に固定されるので、別途に固定具を設ける必要がなく、製作コスト面において有利であるとともに、本体分割部分の固定作業と架設対象ケーブル体接続作業とが一つの作業で行なうことができ、作業能率も向上する。
【００１４】
〔３〕請求項３に係る発明は、請求項２に係る発明の実施に好適な実施形態を特定するものであり、その特徴は、
前記接続具による架設対象ケーブル体接続操作の進行に伴い、先に架設対象ケーブル体が架設具本体に対して接続状態になり、続いて複数の前記本体分割部分が閉じ状態に固定される構成にしてある点にある。
【００１５】
つまり、この構成によれば、前述のように接続具を固定具に兼用しながら、架設具本体に対する架設対象ケーブル体の接続操作初期段階において、架設対象ケーブル体が架設具本体に対し既に接続された状態にあるものの、複数の本体分割部分が未だ閉じ状態に固定されない状態が現出されるので、架設対象ケーブル体を架設具本体に対し接続した状態での先設ケーブル体に対する架設具本体の装着が可能になり、このことから、従来の架設具のように傾斜させた状態で嵌合させたのち回転させて装着するといった煩雑な装着行程を要さないという請求項１に係る発明の効果と相俟って作業能率を一層向上させることができる。即ち、架設具本体に対し架設対象ケーブル体を先に接続しておくことで高所での接続作業を不要にしながらも、既に接続した架設対象ケーブル体が架設具本体の先設ケーブル体に対する煩雑な装着行程において、先設ケーブル体に引っ掛かるなどの支障を招くことなく、架設具本体を先設ケーブル体に対し容易に装着することができる。
【００１６】
〔４〕請求項４に係る発明は、請求項３に係る発明の実施に好適な実施形態を特定するものであり、その特徴は、
前記開き状態で互いに離散し、かつ、前記閉じ状態で互いに集合して架設対象ケーブル体接続部を形成する複数の接続部形成片を架設具本体に設けるとともに、
これら接続部形成片のうちの１つの接続部形成片に、前記接続具としての雌ネジ具を螺着する雄ネジ部を設け、
前記閉じ状態において前記雄ネジ部に対し前記雌ネジ具を螺着する螺着操作の後期に、前記接続部形成片の集合体に対し前記雌ネジ具が外嵌状態になって、それら複数の接続部形成片が結束される構成にしてある点にある。
【００１７】
つまり、この構成によれば、雌ネジ具のネジ操作という簡単な操作形態を採りながら、請求項３に係る発明の機能（即ち、先に架設対象ケーブル体が架設具本体に対して接続状態になり、続いて複数の本体分割部分が閉じ状態に固定されるという機能）を得ることができ、また、閉じ状態にあるときの架設具本体が形成する複数の接続部形成片の集合体に対し外嵌することでそれらを結束固定するから、その固定の強度、及び、確実性も高く確保することができる。
【００１８】
〔５〕請求項５に係る発明は、請求項１〜４のいずれか１項に係る発明の実施に好適な実施形態を特定するものであり、その特徴は、
先設ケーブル体の周方向で複数に分割した構造で、先設ケーブル体が小径の場合に架設具本体と先設ケーブル体との間に介装して先設ケーブル体の周りに外嵌状に位置させる分割インナースペーサーを設け、
介装状態にある分割インナースペーサーと架設具本体との先設ケーブル体長手方向での相対移動が前記閉じ状態において不能になる構成にしてある点にある。
【００１９】
つまり、この構成によれば、架設具本体を装着する先設ケーブル体が小径の場合、小径の先設ケーブル体と架設具本体との間に生じる隙間を埋めるように架設具本体と先設ケーブル体との間に分割インナースペーサーを介装することで、小径の先設ケーブル体に対しても架設具本体を分割インナースペーサーと一体的にがたつきなくスムーズに先設ケーブル体に対して摺動させることができ、これにより、先設ケーブル体の径に拘らず架設作業を能率よく行なうことができる。
【００２０】
〔６〕請求項６に係る発明は、請求項５に係る発明の実施に好適な実施形態を特定するものであり、その特徴は、
前記分割インナースペーサーの先設ケーブル体長手方向における端部に、その分割インナースペーサーの介装状態において架設具本体の先設ケーブル体長手方向における端面と先設ケーブル体長手方向で係合する端面係合部を形成し、
この端面係合部の先設ケーブル体長手方向における架設具本体とは反対側の端面を先設ケーブル体長手方向で架設具本体の側ほど先設ケーブル体から離れる傾斜姿勢のテーパー面にしてある点にある。
【００２１】
つまり、この構成によれば、分割インナースペーサーにおける端面係合部の架設具本体の端面に対する係合により、分割インナースペーサーと架設具本体との相対移動を不能にして先設ケーブル体に対して架設具本体と分割インナースペーサーとを一体的に摺動移動させるようにしながらも、端面係合部の先設ケーブル体長手方向における架設具本体とは反対側の端面を上記のようにテーパー面にしてあることで、架設具本体を懸架具のケーブル抱込部に挿通させる際、懸架具に対する引っ掛かりをテーパー面による案内により防止した状態で、架設具本体及び分割インナースペーサーをスムーズにケーブル抱込部に挿通することができる。
【００２２】
〔７〕請求項７に係る発明は、請求項５又は６に係る発明の実施に好適な実施形態を特定するものであり、その特徴は、
前記分割インナースペーサーの各分割部分が、前記本体分割部分のそれぞれに対して個別に着脱自在である点にある。
【００２３】
つまり、この構成によれば、分割インナースペーサーの各分割部分を架設具本体の各本体分割部に取り付けて、架設具本体に分割インナースペーサーを予め装着した状態で、架設具本体を先設ケーブル体に装着することができるため、先設ケーブル体に対する架設具の装着箇所でまず分割インナースペーサーを先設ケーブル体に装着し、それに続いて、架設具本体を先設ケーブル体に装着するといった作業形態を採るのに比べて、先設ケーブル体に対する架設具本体及び分割インナ―スペーサーの装着を容易にすることができ、この点で一層作業能率を向上させることができる。
【００２４】
〔８〕請求項８に係る発明は、請求項７に係る発明の実施に好適な実施形態を特定するものであり、その特徴は、
前記分割インナースペーサーの分割部分を前記本体分割部分に取り付ける構造として、前記本体分割部分に先設ケーブル体半径方向の嵌合孔を設けるとともに、その嵌合孔に対して先設ケーブル体の側から圧入的に嵌入させる嵌合突起を前記分割インナースペーサーの分割部分に設けてある点にある。
【００２５】
つまり、この構成によれば、上記嵌合突起を上記嵌合孔に対して先設ケーブル体側から圧入的に嵌入させることで、分割インナースペーサーの分割部分を容易、かつ、確実に架設具本体の本体分割部分に装着することができ、また、嵌合突起を先設ケーブル体半径方向の外方から押圧することにより、分割インナースペーサーの本体分割部分からの取り外しも容易に行なうことができる。
【００２６】
〔９〕請求項９に係る発明は、請求項８に係る発明の実施に好適な実施形態を特定するものであり、その特徴は、
前記嵌合孔の内面とその嵌合孔に嵌入された前記嵌合突起との間に空隙を形成する凹部を、前記本体分割部分の先設ケーブル体とは反対側の面において前記嵌合孔の周縁部における周方向の一部分に形成してある点にある。
【００２７】
つまり、この構成によれば、この凹部によって形成された空隙にドライバー等の適当な工具を差し込んで抉り操作的に分割インナースペーサーの分割部分を先設ケーブル体半径方向の外方から押圧操作することができ、これにより、架設具本体の各本体分割部分から分割インナースペーサーの各分割部分を取り外す操作を一層容易にすることができる。
【００２８】
【発明の実施の形態】
〔第１実施形態〕
図１〜図１６は本願発明の第１実施形態を示し、電柱Ｐ１，Ｐ２間に張設されているメッセンジャーワイヤーＭに、同じく電柱Ｐ１，Ｐ２間に架設する電線等のケーブルＢを懸架する懸架具Ｈの一例であるケーブルハンガー９を釣支し、このケーブルハンガー９の環状に形成されているケーブル抱込部ｈに、先設の本設ケーブルＢを抱え込み状に挿通した状態で懸架してあるケーブル施設において、架設対象ケーブル体である追加ケーブル１０をケーブルハンガー９のケーブル抱込部ｈに挿通させて追加架設するのに、そのケーブル抱込部ｈに別の架設対象ケーブル体である通線案内用のファイバロッド１１を挿通するためのケーブル体架設具Ａが用いられる。そして、このケーブル架設具Ａの架設具本体１が、本設ケーブルＢに対し外嵌装着可能に枢支連結された２つの本体分割部分１Ａ，１Ｂから構成されている。
【００２９】
架設具本体１を構成する２つの本体分割部分１Ａ，１Ｂは、その一方の本体分割部分１Ａに対して他方の本体分割部分１Ｂを枢支部１ａの軸芯Ｘ周りで相対的に開き揺動させて、本設ケーブルＢに対する架設具本体１の着脱操作を可能にする開き状態と、一方の本体分割部分１Ａに対して他方の本体分割部分１Ｂを枢支部軸芯Ｘ周りで相対的に閉じ揺動させて、本設ケーブルＢに外嵌させた閉じ状態とに切り換え可能に枢支連結されており、架設具本体１を閉じ状態にした時には、その内側に本設ケーブルＢを相対摺動自在に位置させる円筒空間状の先設ケーブル体嵌装部Ｓを形成する。
【００３０】
両本体分割部分１Ａ，１Ｂそれぞれの先設ケーブル体長手方向両端部の端面が、架設具本体１の先設ケーブル体長手方向中央の側ほど本設ケーブルＢから先設ケーブル体半径方向外方に離れる傾斜姿勢のテーパー面にしてあり、これによって、本設ケーブルＢを懸架しているケーブルハンガー９のケーブル抱込部ｈに対する架設具本体１の挿入作業を容易にしてある。
【００３１】
２つの本体分割部分１Ａ，１Ｂそれぞれの先設ケーブル体長手方向の一端側には、架設具本体１が閉じ状態にあるとき集合して架設対象ケーブル体接続部２を形成する接続部形成片２ａ，２ｂを設けてあり、一方の本体分割部分１Ａの接続部形成片２ａの先端部には、架設具本体１とファイバロッド１１との間に介在させる接続具（雌ネジ具）としての接続コネクタＣに対し螺着する雄ネジ部３が突設されている。
【００３２】
接続具である接続コネクタＣは、架設具本体１を閉じ状態で固定する固定具を兼ねていて、先設ケーブル体長手方向の一端に形成した雌ネジ部４ａにより架設具本体１の雄ネジ部３に螺着するコネクタ本体４と、コネクタ本体４の先設ケーブル体長手方向他端の屈曲操作ピン具５とから構成され、架設具本体１とファイバロッド１１との間に介在して架設具本体１に対しファイバロッド１１を接続する。
【００３３】
接続コネクタＣの構造を詳しく説明すると、図５に示すように、コネクタ本体４は、その内周面における屈曲操作ピン具５（即ち、先設ケーブル体長手方向他端）寄りの一部がコネクタ本体半径方向内方に括れていて、その括れ部４ｂから屈曲操作ピン部５の側の端に向かってコネクタ本体半径方向外方に広がる外方テーパー面部４ｃと、その括れ部４ｂから雌ネジ部４ａの側（即ち、先設ケーブル体長手方向一端側）に向かってコネクタ本体半径方向外方に広がる内方テーパー面部４ｄとがコネクタ本体Ｃの内部に形成されている。
【００３４】
これに対し、屈曲操作ピン具５は、括れ部４ｂの内径よりも小径に形成された先設ケーブル体長手方向一端側の挿入ピン５ａと、コネクタ本体４の外方テーパー面部４ｃに密接するテーパー面を有する中央部５ｂと、ファイバロッド１１に対し外嵌固着する先設ケーブル体長手方向他端側の嵌合部５ｃとから形成され、挿入ピン５ａがコネクタ本体４に先設ケーブル体長手方向他端側から挿入されている。
【００３５】
また、内方テーパー面部４ｄに密接するテーパー面を有するリング６と、そのリング６を固定するリング留め具６ａとが、コネクタ本体４に先設ケーブル体長手方向一端側からコネクタ本体４に挿入され、屈曲操作ピン具５がコネクタ本体４に対し先設ケーブル体長手方向で所定の範囲内において摺動するのを許す状態で、それらリング６及びリング留め具６ａを挿入ピン５ａに対して外嵌固着してある。
【００３６】
つまり、図６、図７に示すように、中央部５ｂのテーパー面がコネクタ本体４の外方テーパー面部４ｃに接触している状態では屈曲操作ピン具５がコネクタ本体４に対し固定された状態になり、リング６のテーパー面がコネクタ本体４の内方テーパー面部４ｄに接触した状態では屈曲操作ピン具５がコネクタ本体４に対し屈曲可能な状態になるようにしてある。
【００３７】
そして、図２及び図８に示すように、接続具と固定具とを兼ねる接続コネクタＣは、ファイバロッド１１を接続した状態で、コネクタ本体４の雌ネジ部４ａを一方の本体分割部分１Ａにおける接続部形成片２ａの雄ネジ部３に対してのみ螺嵌させた状態では、ファイバロッド１１と架設具本体１とを接続状態にしながらも一方の本体分割部分１Ａに対して他方の本体分割部分１Ｂが相対的に開閉揺動することを許し、その後、架設具本体１が閉じ状態にある状況下で更に雄ネジ部３に対する雌ネジ部４ａの螺入操作を進行させると、コネクタ本体４の雌ネジ部４ａが、一方の本体分割部分１Ａにおける接続部形成片２ａと他方の本体分割部分１Ｂにおける接続部形成片２ｂとの集合により形成された架設対象ケーブル体接続部２に外嵌してそれら接続部形成片２ａ，２ｂを結束し、これによって、一方の本体分割部分１Ａに対して他方の本体分割部分１Ｂが相対的に開閉揺動することを不能にして、架設具本体１を閉じ状態に固定する。
【００３８】
また、両本体分割部分１Ａ，１Ｂには、先設ケーブル体長手方向に延びる嵌合孔７が形成してあり、この嵌合孔７は架設具本体１における先設ケーブル体嵌装部Ｓの内径Ｄ１を種々の本設ケーブルＢの外径Ｄ２に適応させるための分割インナースペーサー８を架設具本体１に装着するための取付け部として機能する。
【００３９】
分割インナースペーサー８は、弾性力を有する合成樹脂製で円筒を縦に２分割した２分割構造にし、その分割インナースペーサー８の両分割部分８Ａ，８Ｂには、架設具本体１の上記嵌合孔７に対し先設ケーブル体嵌装部Ｓの内方から圧入的に嵌入させる嵌合突起８ａを形成してあり、この嵌合突起８ａの嵌合孔７に対する嵌入により、分割インナースペーサー８の各分割部分８Ａ，８Ｂを、架設具本体１の各本体分割部１Ａ，１Ｂに対して個別に装着する。
【００４０】
また、分割インナースペーサー８には、サイズの異なる仕様のものを準備してあり、これにより、種々の本設ケーブルＢの外径Ｄ２に適応するように架設具本体１における先設ケーブル体嵌装部Ｓの内径Ｄ１を、分割インナースペーサー８を装着しない場合を含めて４段階に変更することができる。詳しくは、分割インナースペーサー８を使用しない場合の先設ケーブル体嵌装部Ｓの内径Ｄ１が１６．４ｍｍ、３サイズの分割インナースペーサー８を使用した場合の先設ケーブル体嵌装部Ｓの内径Ｄ１が１４．４ｍｍ、１２．４ｍｍ、１０ｍｍである。
【００４１】
分割インナースペーサーの各分割部分８Ａ，８Ｂにおける先設ケーブル体長手方向の両端部には、各分割部分８Ａ，８Ｂを架設具本体１の各本体分割部分１Ａ，１Ｂに装着した状態において、架設具本体１の先設ケーブル体長手方向の両端面に係合する端面係合部８ｂ，８ｃを形成してあり、その端面係合部８ｂ，８ｃの外端面（即ち、先設ケーブル体長手方向における架設具本体１とは反対側の端面）は架設具本体１の側ほど本設ケーブルＢから先設ケーブル体半径方向外方に離れる傾斜姿勢で、架設具本体１の前記テーパー面と面一になるテーパー面を形成してある。
つまり、分割インナースペーサー８の使用時においても、ケーブル体架設具Ａをケーブルハンガー９のケーブル抱込部ｈに対し引っ掛かけることなく円滑に挿入できるようにしてある。
【００４２】
そしてまた、分割インナースペーサー８の各分割部分８Ａ，８Ｂにおける嵌合突起８ａと架設具本体１の各本体分割部分１Ａ，１Ｂの嵌合孔７に嵌入させた状態において、それら嵌合突起８ａと嵌合孔７の内面との間に空隙を形成する凹部７ａを、嵌合孔７の周縁部における二つの長辺部それぞれの２箇所に形成してあり、分割インナースペーサー８の各分割部分８Ａ，８Ｂを架設具本体１の各本体分割部分１Ａ，１Ｂに装着してある状態（即ち、嵌合突起８ａが嵌合孔７と嵌合している状態）において、その凹部７ａによって形成される空隙に適当な工具（例えば、マイナスドライバー）等を差し入れることで、架設具本体１の各本体分割部分１Ａ，１Ｂから分割インナースペーサー８の各分割部分８Ａ，８Ｂを容易に取り外せるようにしてある。
【００４３】
更に、分割インナースペーサー８の各分割部分８Ａ，８Ｂの中央位置には、先設ケーブル体長手方向に延びる長孔８ｄが形成してあり、この長孔８ｄを以って分割インナースペーサー８の軽量化を図ってある。
【００４４】
２本の電柱Ｐ１，Ｐ２間に、上記構成のケーブル体架設具Ａを用いて、追加ケーブル１０を架設するケーブル追加架設作業工程を説明する。
【００４５】
まず、本設ケーブルＢの外径Ｄ２（例として、１４ｍｍとする）に適応する分割インナースペーサー８を選択し、その分割インナースペーサー８（内径Ｄ１が１４．４ｍｍ）の各分割部分８Ａ，８Ｂを架設具本体１の各本体分割部分１Ａ，１Ｂに装着する。
【００４６】
次に、接続コネクタＣの屈曲操作ピン具５の嵌合部５ｃにファイバロッド１１を内嵌し、嵌合部５ｃをかしめることでファイバロッド１１を嵌合部５ｃに固着したのち、架設具本体１の一方の本体分割部分１Ａに設けられている雄ネジ部３に対し接続コネクタＣのコネクタ本体４に形成されている雌ネジ部４ａを螺着する。
【００４７】
そして、雄ネジ部５にのみ接続コネクタＣを螺装した状態の架設具本体１、即ち、架設具本体１に対して、接続コネクタＣに固着のファイバロッド１１を接続した状態でありながら、他方の本体分割部分１Ｂが一方の本体分割部分１Ａに対して相対的に開閉揺動することを許す状態にある架設具本体１を、第１作業者Ｗ１が手にして一方の電柱Ｐ１に上り、その電柱Ｐ１上で架設具本体１を開き状態にして本設ケーブルＢに外嵌装着する。
【００４８】
第１作業者Ｗ１は、他方の電柱Ｐ２に上っている第２作業者Ｗ２に向かって、第３作業者Ｗ３の操作によってロッドリール１２から繰り出されるファイバロッド１１を手繰りながら、そのファイバロッド１１で架設具本体１を押し出すように本設ケーブルＢに沿って摺動させて送出し、そして、この摺動において、本設ケーブルＢを懸架するケーブルハンガー９のケーブル抱込部ｈに架設具本体１を通過させる。
【００４９】
第２作業者Ｗ２は、第１作業者Ｗ１から届いた架設具本体１を本設ケーブルＢから外して下方の第４作業者Ｗ４に渡し、第４作業者Ｗ４はファイバロッド１１から架設具本体１を取り外して、接続コネクタＣにケーブル接続用フック１３を介して追加ケーブル１０を接続したのち、第３作業者Ｗ３がファイバロッド１１をロッドリール１２に巻き取ることで、追加ケーブル１０を本設ケーブルＢと一束化させた状態で架設する。
【００５０】
〔第２実施形態〕
図１７〜図１９は本願発明の第２実施形態を示し、本設ケーブルＢが存在しない新設ケーブル施設において、２本の電柱Ｐ１，Ｐ２間に先設ケーブル体の一例であるメッセンジャーワイヤーＭを張設し、メッセンジャーワイヤーＭにケーブル用の懸架具Ｈであるスパイラルハンガー１４（コイルハンガー）を取り付けたのち、極小径の先設ケーブル体（例えば、メッセンジャーワイヤー）用の内径Ｄ１が１０ｍｍの分割インナースペーサー８を装着し、かつ、ファイバロッド１１を固着した接続コネクタＣを架設対象ケーブル体接続部２に接続した架設具本体１をメッセンジャーワイヤーＭに外嵌装着する。
そして、その架設具本体１を一方の電柱Ｐ１の側からメッセンジャーワイヤーＭに沿って他方の電柱Ｐ２に向かって押し出すように摺動させることで、ファイバロッド１１をスパイラルハンガー１４のケーブル抱込部ｈに挿通するとともに、他方の電柱Ｐ２の側において、届いた架設具本体１に代え新設ケーブル１５を、接続コネクタＣを介してファイバロッド１１に接続し、一方の電柱Ｐ１の側からファイバロッド１１を引き戻して新設ケーブル１５をスパイラルハンガー１４のケーブル抱込部ｈに挿通させることで、新設ケーブル１５を架設する。
【００５１】
〔別の実施形態〕
上記第１実施形態では、架設対象ケーブル体接続部２に通線案内用のファイバロッド１１を接続コネクタＣを介し接続した架設具本体１を、本設ケーブルＢに装着し、その架設具本体１を一方の電柱Ｐ１の側から本設ケーブルＢに沿わせて摺動移動させる形態でケーブルハンガー９のケーブル抱込部ｈに挿通させたのち、他方の電柱Ｐ２の側でファイバロッド１１に追加ケーブル１０を接続して、ファイバロッド１１を一方の電柱Ｐ１の側に引き戻すことにより、ケーブル追加架設作業を行い、
また、上記第２実施形態では、架設対象ケーブル体接続部２に通線案内用のファイバロッド１１を接続コネクタＣを介し接続した架設具本体１を、メッセンジャーワイヤーＭに装着し、その架設具本体を一方の電柱Ｐ１の側からメッセンジャーワイヤーＭに沿わせて摺動移動させる形態でスパイラルハンガー１４のケーブル抱込部ｈに挿通させたのち、他方の電柱Ｐ２の側でファイバロッド１１に新設ケーブル１５を接続して、ファイバロッド１１を一方の電柱Ｐ２の側に引き戻すことにより、新設ケーブル架設作業を行うが、
ファイバロッド１１の一端に架設対象ケーブル体である追加ケーブル１０又は新設ケーブル１５を接続し、架設対象ケーブル体接続部２にファイバロッド１１の他端を接続コネクタＣを介し接続した架設具本体１を、先設ケーブル体としての本設ケーブルＢ又はメッセンジャーワイヤーＭに装着し、その架設具本体１を一方の電柱Ｐ１の側から本設ケーブルＢ又はメッセンジャーワイヤーＭに沿わせて摺動移動させる形態で懸架具Ｈのケーブル抱込部ｈに挿通させたのち、ファイバロッド１１を他方の電柱Ｐ２の側から引っ張って、ケーブル追加架設作業又は新設ケーブル架設作業を行なってもよい。
【００５２】
また、ファイバロッド１１を介在させずに、追加ケーブル１０又は新設ケーブル１５を架設対象ケーブル体接続部２に直接的に接続して、上記のようにケーブル追加架設作業又は新設ケーブル架設作業を行なってもよい。
【００５３】
上記第１及び第２実施形態では、架設具本体１は本体分割部分１Ａ，１Ｂは２分割に構成してあるが、架設具本体１は必ずしも２分割構成に限るものではない。
【図面の簡単な説明】
【図１】本発明の第１実施形態における架設具本体を示す斜視図
【図２】開き状態にある架設具本体の先設ケーブル体に対する装着状態を示す図
【図３】閉じ状態で、かつ、その閉じ状態に固定されていない架設具本体の先設ケーブルに対する装着状態を示す図
【図４】閉じ状態に固定されてある架設具本体の先設ケーブル体に対する装着状態を示す図
【図５】屈曲操作ピン具が押し状態にあるときの接続コネクタの内部構造を示す横断面図
【図６】屈曲操作ピン具が引き状態にあるときの接続コネクタの内部構造を示す横断面図
【図７】屈曲操作ピン具の引き状態において、コネクタ本体に対し屈曲させたときの接続コネクタの内部構造を示す横断面図
【図８】接続コネクタの雌ネジ部を架設具本体の雄ネジ部に対してのみ螺嵌させた状態を示す横断面図
【図９】分割インナースペーサーの右側面図
【図１０】分割インナースペーサーの左側面図
【図１１】分割インナースペーサーの正面図
【図１２】分割インナースペーサーを装着した開き状態にある架設具本体の先設ケーブル体に対する装着状態を示す図
【図１３】分割インナースペーサーを装着した閉じ状態に固定されてある架設具本体の先設ケーブル体に対する装着状態を示す図
【図１４】分割インナースペーサーを装着した架設具本体の縦断面図
【図１５】第１実施形態の施工方法を示す図
【図１６】第１実施形態の施工方法を示す図
【図１７】本発明の第２実施形態における閉じ状態で固定されてある架設具本体を先設ケーブル体に対する装着状態を示す図
【図１８】第２実施形態の施工方法を示す図
【図１９】第２実施形態の施行方法を示す図
【図２０】従来のケーブル架設具を示す図
【図２１】従来のケーブル架設具を示す図
【図２２】従来のケーブル架設具を示す図
【符号の説明】
Ａ　　ケーブル体架設具
Ｂ　　先設ケーブル体
Ｃ　　接続具
Ｍ　　先設ケーブル体
１　　架設具本体
１Ａ　　本体分割部分
１Ｂ　　本体分割部分
２　　架設対象ケーブル体接続部
２ａ　　接続部形成片
２ｂ　　接続部形成片
３　　雄ネジ部
４　　雌ネジ具
７　　嵌合孔
７ａ　　凹部
８　　分割インナースペーサー
８ａ　　嵌合突起
８ｂ　　端面係合部
８ｃ　　端面係合部
１０　　架設対象ケーブル体
１１　　架設対象ケーブル体
１５　　架設対象ケーブル体
【図１】
2004104871.tif 000003
【図２】
2004104871.tif 000004
【図３】
2004104871.tif 000005
【図４】
2004104871.tif 000006
【図５】
2004104871.tif 000007
【図６】
2004104871.tif 000008
【図７】
2004104871.tif 000009
【図８】
2004104871.tif 000010
【図９】
2004104871.tif 000011
【図１０】
2004104871.tif 000012
【図１１】
2004104871.tif 000013
【図１２】
2004104871.tif 000014
【図１３】
2004104871.tif 000015
【図１４】
2004104871.tif 000016
【図１５】
2004104871.tif 000017
【図１６】
2004104871.tif 000018
【図１７】
2004104871.tif 000019
【図１８】
2004104871.tif 000020
【図１９】
2004104871.tif 000021
【図２０】
2004104871.tif 000022
【図２１】
2004104871.tif 000023
【図２２】
2004104871.tif 000024